(57)【特許請求の範囲】
【請求項１】
所定の間隔を有して略並行に積層され、熱交換用気流の主流方向に沿うよう積層面が配置された複数の伝熱フィンと、
積層された前記伝熱フィンを貫通するように、前記伝熱フィンの積層面方向と略直交する方向に延設された伝熱管と、を備え、
前記伝熱フィンは、前記伝熱管が貫通する貫通孔を有し、前記貫通孔の周囲に前記伝熱フィンの積層面方向と略直交する方向に延設された略円筒状のフィンカラーが形成され、前記伝熱管が前記フィンカラーに密着結合状態で前記貫通孔に挿入されて、前記伝熱フィンの積層面方向に流れる前記熱交換用気流と前記伝熱管の内部を流れる熱冷媒との間で熱交換を行うよう構成されたフィンチューブ型熱交換器であって、  前記伝熱フィンは、前記積層面において、前記熱交換用気流の主流方向（以降、列方向と呼ぶ）に対し直交する方向（以降、段方向と呼ぶ）に延びる複数の稜線により形成される複数の山部と当該山部の間にある谷部とで構成される起伏部と、前記フィンカラーに対して同心円状であり、前記積層面と平行な平坦面を有する座部分と、前記座部分から前記起伏部へ立ち上がる傾斜面と、前記フィンカラーの近傍に配置され、且つ段方向に延びる谷部に配置され、列方向に延びる山側の稜線で構成された中間山部と、を有し、
前記山側の稜線は、隣接する前記山部の斜面の中腹部分を繋ぎ、前記フィンカラーの外径より短く構成された、フィンチューブ型熱交換器。
【請求項２】
前記中間山部は、段方向に隣接する前記フィンカラーの中間位置に形成され、前記フィンカラーの中心を含む段方向に延びる中心軸上に配置された請求項１に記載のフィンチューブ型熱交換器。
【請求項３】
前記中間山部の前記座位置の平坦面からの高さは、段方向に延びる山部の前記平坦面からの高さの１／４から３／４の範囲内の高さに形成されている請求項２に記載のフィンチューブ型熱交換器。
【請求項４】
前記フィンカラーの風上側と風下側に楔状のくぼみを形成した請求項１乃至３のいずれか一項に記載のフィンチューブ型熱交換器。
【請求項５】
前記フィンカラーの風上側と風下側に形成された楔状のくぼみをさらに有し、
前記楔状のくぼみは、前記フィンカラーの風上側と風下側において列方向に延びる第１の稜線と、前記フィンカラーの風上側と風下側において段方向に延びる前記谷部を形成する稜線と前記第１の稜線との交点から、前記山部の稜線に向かってＶ字形状に２方向に導出する２本の第２の稜線と、により形成され、前記第１の稜線と前記第２の稜線との間に形成されたＶ字形状に配置された２つの斜面により前記フィンカラーの風下側と風上側の気流通路を構成した請求項１乃至３のいずれか一項に記載のフィンチューブ型熱交換器。
【発明の詳細な説明】
【技術分野】
【０００１】
本発明は、ルームエアコン、パッケージエアコン、カーエアコン等の空気調和機、ヒートポンプ式給湯機、冷蔵庫、及び冷凍庫等に用いられ、多数積層された平板状のフィンの間を流動する空気などの気体と伝熱管内を流動する水や冷媒などの流体との間で熱を授受するフィンチューブ型熱交換器に関するものである。
【背景技術】
【０００２】
日本の特開２００５−０７７０８３号公報（特許文献１）にも記載されているように、フィンチューブ型熱交換器は、一般に、多数積層された平板状のフィンと、伝熱管とで構成されたフィンアンドチューブ式の熱交換器である。図１０は従来の熱交換器を示す斜視図である。図１１は図１０に示したフィンの一部分を示す正面図である。図１０と図１１に示すように、従来のフィンチューブ型熱交換器１０１は、一定の間隔を有して平行に積層された平板状のフィン１１０と、積層されたフィン１１０に対して貫通するように挿入された伝熱管１３０とで構成されている。フィン１１０には当該フィン１１０から垂直に立ち上げた円筒状のフィンカラー１１６が形成されており、フィンカラー１１６の内部が貫通孔１１６ａとなっている。伝熱管１３０は、フィンカラー１１６の貫通孔１１６ａを貫通して配設されており、フィンカラー１１６に密着接合されている。【０００３】
上記のように構成された従来のフィンチューブ型熱交換器１０１においては、積層された平板状のフィン１１０の間に空気などの気体を流動させることにより、内部を水や冷媒などの流体が流動する伝熱管１３０からの熱を、フィン１１０を介して流動する気体に対して熱交換するよう構成されている。【０００４】
従来のフィンチューブ型熱交換器１０１における各フィン１１０は、同様の形状に折り曲げられて積層されている。図１１に示すフィン１１０の正面図（積層面を示す図）において、積層されたフィン１１０の間を流れる気流の主流方向Ｗを列方向（図１１の左右方向）とし、その列方向に直交する方向を段方向（図１１の上下方向）とする。【０００５】
図１０及び図１１に示すように、フィン１１０には、段方向に延びる複数の折り曲げ線である複数の稜線１１２（山部）及び稜線１１４（谷部）が形成されている。以下の説明においては、一方の山部を形成する稜線１１２を山稜線とし、他方の谷部を形成する稜線１１４を谷稜線とする。上記のようにフィン１１０は、複数の山稜線１１２と、その山稜線１１２の間にある谷稜線１１４とにより山部と谷部が形成されており、山部と谷部とにより起伏部が構成されている。また、フィン１１０には、円筒状に突出したフィンカラー１１６に対して、その周りに同心円状に平坦な円環部分が形成された座部分１１８と、この座部分１１８から起伏部へ立ち上がる傾斜部１２０が形成されている。【０００６】
図１０及び図１１に示したフィン１１０を有する従来の熱交換器１０１においては、フィン１１０に形成された起伏部における複数の山稜線１１２及び谷稜線１１４の近傍で気流の動きが曲げられている。このように気流の動きを曲げることにより、フィン１１０から気流に対する伝熱性能の向上が図られていた。しかし、このような構成の従来の熱交換器においては、一般的な熱交換において用いられているように、平坦な板材の一部分を切り起こして形成されたフィンにおいて生じる気流前縁効果による伝熱促進効果ほどの結果が得られず、熱交換器としての伝熱性能が期待するほど高くないという課題があった。
【先行技術文献】
【特許文献】
【０００７】
【特許文献１】特開２００５−０７７０８３号公報
【発明の概要】
【発明が解決しようとする課題】
【０００８】
本発明は、従来技術が有する上記の課題に鑑みてなされたものであり、フィンと気流との間での伝熱性能を高めるために、多数積層されるフィンを特殊形状に形成して、面と面との交線である稜線を増やすことにより、伝熱性能に優れたフィンチューブ型熱交換器を提供することを目的としている。
【課題を解決するための手段】
【０００９】
上記目的を達成するために、本発明に係る一態様のフィンチューブ型熱交換器は、
所定の間隔を有して略並行に積層され、熱交換用気流の主流方向に沿うよう積層面が配置された複数の伝熱フィンと、
積層された前記伝熱フィンを貫通するように、前記伝熱フィンの積層面方向と略直交する方向に延設された伝熱管と、を備え、
前記伝熱フィンは、前記伝熱管が貫通する貫通孔を有し、前記貫通孔の周囲に前記伝熱フィンの積層面方向と略直交する方向に延設された略円筒状のフィンカラーが形成され、前記伝熱管が前記フィンカラーに密着結合状態で前記貫通孔に挿入されて、前記伝熱フィンの積層面方向に流れる前記熱交換用気流と前記伝熱管の内部を流れる熱冷媒との間で熱交換を行うよう構成されたフィンチューブ型熱交換器であって、  前記伝熱フィンは、前記積層面において、前記熱交換用気流の主流方向（以降、列方向と呼ぶ）に対し直交する方向（以降、段方向と呼ぶ）に延びる複数の稜線により形成される複数の山部と当該山部の間にある谷部とで構成される起伏部と、前記フィンカラーに対して同心円状であり、前記積層面と平行な平坦面を有する座部分と、前記座部分から前記起伏部へ立ち上がる傾斜面と、前記フィンカラーの近傍に配置され、且つ段方向に延びる谷部に配置され、列方向に延びる山側の稜線で構成された中間山部と、を有し、
前記山側の稜線は、隣接する前記山部の斜面の中腹部分を繋ぎ、前記フィンカラーの外径より短く構成されている。
【発明の効果】
【００１０】
本発明によれば、伝熱フィンにおける段方向に延びる山部の間の谷部に列方向に延びる中間山部を設けて、熱伝達率を高くする稜線を増やし、多数積層される伝熱フィン間の気流を円滑に流して、多数積層された伝熱フィン間における通風抵抗を低減することができる伝熱性能に優れたフィンチューブ型熱交換器を提供することができる。
【図面の簡単な説明】
【００１１】
【図１】本発明に係る実施の形態１のフィンチューブ型熱交換器の概略構造を示す斜視図
【図２】図１に示したフィンチューブ型熱交換器における伝熱フィンの一部分を拡大して示す正面図
【図３】図２に示した積層された伝熱フィンにおけるIII−III線による断面図
【図４】図２に示した積層された伝熱フィンにおけるIV−IV線による断面図
【図５】実施の形態１のフィンチューブ型熱交換器における伝熱フィンを気流の主流方向から見た側面図
【図６】本発明に係る実施の形態２のフィンチューブ型熱交換器における伝熱フィンの積層面を示す正面図
【図７】本発明に係る実施の形態３のフィンチューブ型熱交換器における伝熱フィンの積層面を示す正面図
【図８】（ａ）は本発明に係る実施の形態４のフィンチューブ型熱交換器における伝熱フィンの積層面を示す正面図、及び（ｂ）は図８の（ａ）に示した伝熱フィンにおけるＡ−Ａ線による断面図
【図９】本発明に係る実施の形態５のフィンチューブ型熱交換器における伝熱フィンの積層面を示す正面図
【図１０】従来の熱交換器を示す斜視図
【図１１】図１０に示した従来の熱交換器におけるフィンの一部分を示す正面図
【発明を実施するための形態】
【００１２】
本発明に係る第１の態様のフィンチューブ型熱交換器においては、
所定の間隔を有して略並行に積層され、熱交換用気流の主流方向に沿うよう積層面が配置された複数の伝熱フィンと、
積層された前記伝熱フィンを貫通するように、前記伝熱フィンの積層面方向と略直交する方向に延設された伝熱管と、を備え、
前記伝熱フィンは、前記伝熱管が貫通する貫通孔を有し、前記貫通孔の周囲に前記伝熱フィンの積層面方向と略直交する方向に延設された略円筒状のフィンカラーが形成され、前記伝熱管が前記フィンカラーに密着結合状態で前記貫通孔に挿入されて、前記伝熱フィンの積層面方向に流れる前記熱交換用気流と前記伝熱管の内部を流れる熱冷媒との間で熱交換を行うよう構成されたフィンチューブ型熱交換器であって、
前記伝熱フィンは、前記積層面において、前記熱交換用気流の主流方向（以降、列方向と呼ぶ）に対し直交する方向（以降、段方向と呼ぶ）に延びる複数の稜線により形成される複数の山部と当該山部の間にある谷部とで構成される起伏部と、前記フィンカラーに対して同心円状であり、前記積層面と平行な平坦面を有する座部分と、前記座部分から前記起伏部へ立ち上がる傾斜面と、前記フィンカラーの近傍に配置され、且つ段方向に延びる谷部に列方向に延びる山側の稜線で構成された中間山部と、有する。
このように構成された本発明に係る第１の態様のフィンチューブ型熱交換器においては、段方向に延びる山部の間の谷部に列方向に延びる中間山部を設けて、熱伝達率を高くする稜線を増やすとともに、多数積層された伝熱フィン間の気流の流れをスムーズにして、通風抵抗の低減を図ることができる。
【００１３】
本発明に係る第２の態様のフィンチューブ型熱交換器においては、前記の第１の態様における前記中間山部を、段方向に隣接する前記フィンカラーの中間位置に形成して、前記フィンカラーの中心を含む段方向に延びる中心軸上に配置してもよい。
【００１４】
本発明に係る第３の態様のフィンチューブ型熱交換器においては、前記の第２の態様における前記中間山部の前記座位置の平坦面からの高さを、段方向に延びる山部の前記平坦面からの高さの１／４から３／４の範囲内の高さに形成してもよい。
【００１５】
本発明に係る第４の態様のフィンチューブ型熱交換器においては、前記の第１乃至第３の態様において、前記フィンカラーの風上側と風下側に楔状のくぼみを形成する構成としてもよい。
【００１６】
本発明に係る第５の態様のフィンチューブ型熱交換器においては、前記の第１乃至第３の態様において、前記フィンカラーの風上側と風下側に楔状のくぼみを形成し、
前記楔状のくぼみは、前記フィンカラーの風上側と風下側において列方向に延びる第１の稜線と、前記フィンカラーの風上側と風下側において段方向に延びる前記谷部を形成する稜線と前記第１の稜線との交点から、前記山部の稜線に向かってＶ字形状に２方向に導出する２本の第２の稜線と、により形成され、前記第１の稜線と前記第２の稜線との間に形成されたＶ字形状に配置された２つの斜面により前記フィンカラーの風下側と風上側の気流通路を構成してもよい。
【００１７】
上記のように構成された本発明のフィンチューブ型熱交換器は、伝熱フィンのフィンカラーの近傍の位置において、段方向に延びる谷部に列方向に延びる中間山部を設けて、伝熱フィンにおいて熱伝達率を高くする稜線を増やすとともに、多数積層された伝熱フィン間の気流を滑らかにして、伝熱性能に優れ、通風抵抗を低減することができる構成となる。
【００１８】
以下、本発明のフィンチューブ型熱交換器に係る好適な実施の形態について、添付の図面を参照しつつ説明する。なお、以下の実施の形態のフィンチューブ型熱交換器においては空気調和器に用いた具体例で説明するが、以下の実施の形態は例示であり、本発明のフィンチューブ型熱交換器の用途としては空気調和器に限定されるものではなく、熱交換器を使用する各種機器に用いられ、本発明の技術的範囲内において、その用途に応じて適宜変形される。したがって、本発明は、以下の実施の形態の具体的な構成に限定されるものではなく、同様の技術的思想に基づく各種構成を含むものである。
【００１９】
（実施の形態１）
以下、本発明に係る実施の形態１のフィンチューブ型熱交換器について、添付の図面を参照しながら説明する。
【００２０】
図１は、本発明に係る実施の形態１のフィンチューブ型熱交換器の概略構造を示す斜視図である。図２は図１に示したフィンチューブ型熱交換器における伝熱フィンの一部分を拡大して伝熱フィンの正面である積層面を示す正面図である。
【００２１】
図１に示すように、フィンチューブ型熱交換器１においては、同じ形状を有する多数の伝熱フィン２０が一定の間隔Ｌを有して平行に積層された状態（積層状態）で熱交換ブロック１０が構成されている。実施の形態１においては、各伝熱フィン２０は約１．５ｍｍの間隔Ｌを有して並設（積層）されている。各伝熱フィン２０が配設される間隔Ｌとしては、用いられる熱交換器の仕様に応じて適宜変更されるものであり、例えば１．０ｍｍ〜３．０ｍｍの範囲内において選択される。このように積層状態の多数の伝熱フィン２０を貫通するように、水や冷媒などの流体が移動する伝熱管５０が配設されている。伝熱管５０と各伝熱フィン２０とはフィンカラー６０を介して効率高く伝熱するように密着接合されている。図１に示すように、伝熱管５０は、積層状態の多数の伝熱フィン２０で構成された熱交換ブロック１０の内部を貫通して、蛇行するよう配置されている。伝熱管５０と各伝熱フィン２０とは複数箇所で密着接合されており、伝熱管５０と各伝熱フィン２０との間の伝熱性能が高められている。
【００２２】
各伝熱フィン２０には当該伝熱フィン２０の正面である積層面から垂直に立ち上げた複数の円筒状のフィンカラー６０が形成されている。フィンカラー６０の内部は貫通孔２０ａ（図２参照）となっており、伝熱管５０がフィンカラー６０の貫通孔２０ａを貫通して配設される。伝熱管５０とフィンカラー６０とは後述するように伝熱可能に密着接合処理が施されている。
【００２３】
図１に示すように、熱交換ブロック１０に対しては、熱交換用気流が流れるように構成されており、その気流の主流方向Ｗは、熱交換ブロック１０において積層状態の各伝熱フィン２０間の隙間に風が流れ込むよう、各伝熱フィン２０の実質的な積層面と平行な方向、即ち伝熱管５０の長手方向（貫通方向）に直交する方向である。
【００２４】
上記のように構成された実施の形態１のフィンチューブ型熱交換器１においては、積層された多数の伝熱フィン２０の間の隙間に対して、熱交換用気流による空気を流動させることにより、内部を水や冷媒などの流体が移動する伝熱管５０から伝わった熱を、積層状態の多数の伝熱フィン２０の間を流動する気体に対して熱交換を行っている。
【００２５】
実施の形態１において、図２に正面図で示す伝熱フィン２０の積層面は、伝熱フィン２０に対する伝熱管５０の貫通方向に直交する面であり、気流の主流方向Ｗと平行な面である（図１参照）。また、実施の形態１において、気流の主流方向Ｗは、各伝熱フィン２０における列方向（図２における左右方向）と同じであり、各伝熱フィン２０において列方向に直交する方向を段方向（図２における上下方向）とする。
【００２６】
図３は図２に示した積層された伝熱フィン２０におけるIII−III線による断面図であり、図４は図２に示した積層された伝熱フィン２０におけるIV−IV線による断面図である。また、図５は、一枚の伝熱フィン２０を気流の主流方向Ｗから見た側面図である。
【００２７】
上記のように、実施の形態１のフィンチューブ型熱交換器１における熱交換ブロック１０は、所定の間隔Ｌを有して並行に積層された多数の伝熱フィン２０と、これら多数の伝熱フィン２０の積層面と直交して伝熱フィン２０を貫通する伝熱管５０とを備えている。伝熱管５０の内部を流動する冷媒等の熱媒体は、積層された伝熱フィン２０間に流れ込んで伝熱フィン２０の積層面に沿って流れる気体（空気）との間で熱交換が行われる。
【００２８】
図１から図５に示すように、各伝熱フィン２０には、複数のフィンカラー６０が形成されており、各フィンカラー６０の内部は伝熱管５０が貫通する貫通孔２０ａ（図２では３つの貫通孔２０ａを示している）が形成されている。即ち、各貫通孔２０ａの周囲には、伝熱フィン２０の積層面方向に対して、或いは気流の主流方向Ｗに対して略直交する方向に延設された略円筒状のフィンカラー６０が形成されている。これらのフィンカラー６０には伝熱管５０が密着接合されており、例えば、伝熱管５０の直径を広げるように後述する密着接合処理である拡径処理を行うことにより、伝熱管５０はフィンカラー６０に対して確実に密着した状態で貫通孔２０ａに挿通されている。なお、すべてのフィンカラー６０は、伝熱フィン２０から同一方向に突出し、同一の突出高さを有している。
【００２９】
以下、伝熱管５０に対する密着接合処理である拡径処理について詳述する。
フィンチューブ型熱交換器１における熱交換ブロック１０の製造において、複数のフィンカラー６０を有する伝熱フィン２０を積層して、伝熱管５０がフィンカラー６０に挿入される。この挿入作業の作業性を良好にするため、伝熱フィン２０のプレス加工時においてフィンカラー６０の内径Ｄ（図３参照）は、伝熱管５０の外径より多少大きく加工される。そして、伝熱管５０がフィンカラー６０へ挿入された後、伝熱管５０内の液圧を利用することにより、或いは機械的な方法等により伝熱管５０を拡径して、伝熱管５０とフィンカラー６０とを密着させて接合し、互いの伝熱性能を向上させている。
【００３０】
実施の形態１のフィンチューブ型熱交換器１における各伝熱フィン２０は、平板な金属板をプレス加工により一体成形したものであり、複数の折り曲げ線（稜線を含む）を有して構成されている。図２に示すように、伝熱フィン２０には、段方向に平行に延びる複数の山側と谷側の稜線４０ａ，４０ｂが形成されている。以下の説明において、段方向に延びる山側の稜線４０ａを山稜線とし、谷側の稜線４０ｂを谷稜線とする。
【００３１】
なお、実施の形態１においては、１つのフィンカラー６０に対して２つの山部を有する起伏部４０が対応する構成であるが、この起伏部４０の構成は、用いられる熱交換器の仕様に応じて適宜変更される。
【００３２】
上記のように、伝熱フィン２０は、複数の山稜線４０ａと、隣接する山稜線４０ａの間の谷稜線４０ｂと、により山部と谷部が形成されており、これらの山部と谷部とにより起伏部４０が構成されている。また、伝熱フィン２０においては、伝熱フィン２０の積層面に対して垂直に突出した円筒状のフィンカラー６０が一体成形により形成されている。また、円筒状のフィンカラー６０の周りには、同心円上に形成され、平坦面を有する円環状の座部分３０が形成されている。座部分３０の平坦面は、伝熱フィン２０における積層面と平行である。なお、伝熱フィン２０には、円環状の座部分３０から起伏部４０へ立ち上がる傾斜面３０ａが形成されている。
【００３３】
上記のように構成された実施の形態１のフィンチューブ型熱交換器において、伝熱フィン２０は、フィンカラー６０の近傍の位置であり、段方向に隣接するフィンカラー６０の中間位置に、複数の稜線で構成された中間山部８０が形成されている。
【００３４】
図２に示すように、伝熱フィン２０は、段方向に隣接するフィンカラー６０の中間位置であり、且つ段方向に延びる隣接する山側の稜線４０ａ，４０ａにより構成される２つの山部４５，４５の間にある谷部の位置に中間山部８０が形成されている。即ち、中間山部８０は、段方向に並設されたフィンカラー６０の中心（伝熱管５０の中心）を含む段方向に延びる中心軸上、即ち、実施の形態１においては谷稜線４０ｂ上の位置に形成されている。
【００３５】
中間山部８０は、隣接する山部４５，４５の対向する斜面の中腹部分を繋ぐ列方向に延びる山側の稜線８０ａにより構成されている。中間山部８０の側面（図２において、山側の稜線８０ａの上下の位置にある斜面）８０ｃを構成する谷側の稜線８０ｂは、伝熱フィン２０を伝熱管５０の長手方向から見たと正面図において（図２に示す伝熱フィン２０の積層面において）、山側の稜線８０ａの両端からその両側に、山側の稜線８０ａを中間位置として略９０度の角度を有しており、中間山部８０を伝熱管５０の長手方向から見たときの正面形状が、略正方形に形成されている。実施の形態１においては、中間山部８０の正面形状が略正方形の場合について説明するが、本発明の中間山部の正面形状としては四角形となる。
【００３６】
中間山部８０の座位置３０の平坦面からの高さ（以下、中間山部８０の高さと称す）は、段方向に延びる山稜線４０ａで頂上が構成される山部４５の座位置３０の平坦面から高さ（以下、山部４５の高さと称す）より低く形成されている。中間山部８０の高さは、山部４５の高さの約１／４から約３／４の範囲内の高さに形成されることが好ましい。
【００３７】
上記のように、１つの中間山部８０は、列方向に延びる１本の山側の稜線８０ａと、その山側の稜線８０ａの両端から両側に延びる４本の谷側の稜線８０ｂとにより構成されており、山側の稜線８０ａの両側に２つの斜面８０ｃが形成されている。このように形成された１つの中間山部８０において、４本の谷側の稜線８０ｂは、段方向に延びる山稜線４０ａにより形成される隣り合う山部４５の中腹部分に形成されている。このように構成された中間山部８０を構成する谷側の稜線８０ｂの近傍が、段方向に伸びる山稜線４０ａや谷稜線４０ｂと同様に、山部４５より低い中間山部８０において熱交換用気流が曲げられるため、気流への熱伝達率を高くすることができる構成となる。このため、実施の形態１のフィンチューブ型熱交換器は、高い伝熱性能を有する構成になるとともに、積層された伝熱フィン２０の間の気流の流れを円滑にし、通風抵抗が低減された、優れた特性を有する構成となる。
【００３８】
上記のように、実施の形態１における伝熱フィン２０には、段方向に隣接するフィンカラー６０の間に複数の稜線で構成された中間山部８０が形成されている。列方向に延びる山側の稜線８０ａを持つ中間山部８０の高さは、段方向に延びる山稜線４０ａを持つ山部４５の高さより低く形成されており、中間山部８０の高さが山部４５の高さの約１／４から約３／４の範囲内の高さに設定されている。もし中間山部８０の高さが、段方向に延びる山稜線４０ａを持つ山部４５の高さの３／４より高く設定された場合、山部４５の高さに近くなるほど、段方向に延びる稜線により形成された起伏部４０に沿った流れが起きにくくなり、伝熱性能の低下を招くこととなる。
【００３９】
一方、中間山部８０の高さが、段方向に延びる山部４５の高さの１／４より低く設定された場合、熱伝達率が高くなる谷側の稜線８０ｂの長さを長く設定できないため、優れた伝熱性能が得にくい構成となる。
したがって、列方向に延びる山側の稜線を持つ中間山部８０の高さは、段方向に延びる山稜線４０ａを持つ山部４５の高さの約１／４から約３／４が好ましい。
【００４０】
なお、前述の実施の形態では、段方向に延びる複数の山部と谷部で構成された起伏部（４０）を有する伝熱フィン（２０）において、段方向に隣接するフィンカラー（６０）の間の谷部に、列方向に延びる中間山部８０を設けた構成で説明したが、本発明は前述の実施の形態１の構成例に特定されるものではない。本発明の構成は、共存できる他の形態、例えば、特許第２６６１３５６号や特許第２８３４３３９号や特許第３３６７３５３号に本発明における中間山部（８０）を設けることが可能である。それぞれの場合においても、前述した伝熱性能の向上効果を付加することができ、さらには伝熱促進の相乗効果をもたらすことができる。
【００４１】
以下、本発明のフィンチューブ型熱交換器における中間山部を他の構成に用いた場合の具体的な構成例について実施の形態２から実施の形態５を用いて説明する。
【００４２】
（実施の形態２）
本発明に係る実施の形態２のフィンチューブ型熱交換器について、添付の図面を参照しながら説明する。
【００４３】
図６は、実施の形態２のフィンチューブ型熱交換器における伝熱フィン２０Ａの積層面を示す正面図である。図６に示すように、フィンカラー６０の周りには平坦な座部分３０が環状に形成されており、その座部分３０の周りには立ち上がり部（峰部）７０が形成されている。
【００４４】
実施の形態２における伝熱フィン２０Ａにおいては、前述の実施の形態１と同様に、中間山部８０が段方向に隣接するフィンカラー６０の中間位置に形成されている。この結果、実施の形態２のフィンチューブ型熱交換器においては、積層された伝熱フィン２０Ａの間に流れ込んだ気流が、伝熱管５０や伝熱フィン２０Ａの起伏部と中間山部８０と接触し、当該伝熱管５０の熱が伝熱フィン２０Ａなどを介して気流に対して効率高く熱交換される。
【００４５】
上記のように、実施の形態２のフィンチューブ型熱交換器においても、実施の形態１のフィンチューブ型熱交換器と同様に、段方向に隣接するフィンカラー６０の中間位置、又はフィンカラー６０の近傍の位置であり、且つフィンカラー６０の段方向における中心線上である谷稜線４０ｂの位置に中間山部８０が設けられている。この結果、実施の形態２のフィンチューブ型熱交換器は、熱交換用気流を伝熱フィン２０Ａの隙間に効率高く流し、伝熱に寄与する面積を増やし、伝熱管５０と気流との間の熱交換量を増大させ、伝熱性能の向上が図られている。
【００４６】
（実施の形態３）
本発明のフィンチューブ型熱交換器に係る実施の形態３について、添付の図面を参照しながら説明する。
【００４７】
図７は、実施の形態３のフィンチューブ型熱交換器における伝熱フィン２０Ｂの積層面を示す正面図である。図７に示すように、フィンカラー６０の周りには平坦な面を有する楕円状の座部分３０が形成されており、その座部分３０の周りには立ち上がり部（峰部）７０が形成されている。
【００４８】
実施の形態３における伝熱フィン２０Ｂにおいては、前述の実施の形態１と同様に、中間山部８０が段方向に隣接するフィンカラー６０の中間位置、又はフィンカラー６０の近傍の位置であり、且つフィンカラー６０の段方向における中心線上である谷稜線４０ｂの位置に設けられている。この結果、実施の形態３のフィンチューブ型熱交換器においては、熱交換用気流が複数の稜線で構成された中間山部８０により気流が曲げられ、伝熱フィン２０Ｂと気流との間の熱交換を効率高く行うことができる。
【００４９】
上記のように、実施の形態３のフィンチューブ型熱交換器においても、実施の形態１のフィンチューブ型熱交換器と同様に、伝熱フィン２０Ｂに中間山部８０を設けることにより、伝熱に寄与する面積を増やし、伝熱フィン２０Ｂと気流との間の熱交換量を増大させ、伝熱性能の向上が図られている。
【００５０】
（実施の形態４）
本発明のフィンチューブ型熱交換器に係る実施の形態４について、添付の図面を参照しながら説明する。
【００５１】
図８において、（ａ）は実施の形態４のフィンチューブ型熱交換器における伝熱フィン２０Ｃの積層面を示す正面図であり、（ｂ）は図８の（ａ）に示した伝熱フィン２０ＣにおけるＡ−Ａ線による断面図である。
【００５２】
実施の形態４における伝熱フィン２０Ｃにおいても、前述の実施の形態１と同様に、段方向に隣接するフィンカラー６０の中間位置、又はフィンカラー６０の近傍の位置であり、且つフィンカラー６０の段方向における中心線上である谷稜線４０ｂの位置に中間山部８０が形成されている。図８の（ａ）に示すように、伝熱フィン２０Ｃは、熱交換用気流の主流方向Ｗに沿って、図８の（ａ）の左側から右側へ、谷稜線４０ｂ、山稜線４０ａ、谷稜線４０ｂ、山稜線４０ａ、及び谷稜線４０ｂが順次形成された波型形状である。実施の形態４における伝熱フィン２０Ｃにおいては、山稜線４０ａの座部分３０からの高さ（Ｈ１）が、隣接する伝熱フィン２０Ｃとの距離（Ｆｐ）より大きく、この距離（Ｆｐ）の２倍より小さく形成されている。
【００５３】
このように構成された実施の形態４における伝熱フィン２０Ｃにおいても、前述の実施の形態１と同様に、中間山部８０が段方向に隣接するフィンカラー６０の中間位置、又はフィンカラー６０の近傍の位置であり、且つフィンカラー６０の段方向における中心線上である谷稜線４０ｂの位置に形成されている。したがって、気流が複数の稜線で構成された中間山部８０において曲げられて、伝熱フィン２０Ｃと伝熱管５０とに接触し、伝熱管５０内を流れる熱媒体と気流との間の熱交換が伝熱フィン２０Ｃなどを介して効率高く行われる。
【００５４】
（実施の形態５）
本発明に係る実施の形態５のフィンチューブ型熱交換器について、添付の図面を参照しながら説明する。
【００５５】
図９は実施の形態５のフィンチューブ型熱交換器における伝熱フィン２０Ｄの積層面を示す正面図である。実施の形態５における伝熱フィン２０Ｄは、実施の形態１における伝熱フィン２０において、各フィンカラー６０の風上側と風下側に、楔状（逆三角形状）のくぼみ８５が形成されている。即ち、楔状のくぼみ８５は、伝熱フィン２０における座部分３０の平坦面の位置からフィンカラー６０の突出方向に広がるように逆三角形形状に形成されている。
【００５６】
図９に示すように、楔状のくぼみ８５は、フィンカラー６０の風上側と風下側であって、フィンカラー６０の両側に形成された段方向に延びる谷稜線４０ｂと山稜線４０ａとの間に形成されている。楔状のくぼみ８５は、谷稜線４０ｂに直交する列方向に延び、且つフィンカラー６０の中心を通るように座部分３０の両側に形成された谷側の稜線８５ａによりくぼみ８５の底（逆三角形の頂点）が構成されている。この谷側の稜線８５ａを第１の稜線とする。また、楔状のくぼみ８５は、フィンカラー６０の風上側と風下側の両側に形成された段方向に延びる谷稜線４０ｂと、くぼみ８５の底を形成する谷側の稜線（第１の稜線）８５ａとの交点Ｐから山部４５の斜面に沿って山稜線４０ａの方向に導出する２本の山側の稜線８５ｂを有している。この山側の稜線８５ｂを第２の稜線とする。
【００５７】
上記のように、フィンカラー６０の風上側と風下側に形成された楔状のくぼみ８５は、フィンカラー６０の風上側と風下側において列方向に延びる谷側の稜線（第１の稜線）８５ａと、フィンカラー６０の風上側と風下側において段方向に延びる谷部を形成する谷稜線４０ｂと前記の谷側の稜線（第１の稜線）８５ａとの交点Ｐから、山部４５の斜面に沿って山稜線４０ａに向かってＶ字形状に２方向に導出する２本の山側の稜線（第２の稜線）８５ｂと、により形成されている。楔状のくぼみ８５は、上記のように谷側の稜線（第１の稜線）８５ａと２本の山側の稜線（第２の稜線）８５ｂとにより形成されるＶ字形状に配置された２つの斜面８５ｃにより構成されており、フィンカラー６０の風上側と風下側の気流通路を構成している。このように構成された楔状のくぼみ８５は、伝熱フィン２０の間に流れ込んだ気流をフィンカラー６０に確実に導くとともに、フィンカラー６０の風下側へスムーズに導く構成となる。
【００５８】
実施の形態５において、楔状のくぼみ８５を構成する山側の稜線（第２の稜線）８５ｂの延長線は、図９に示すように、伝熱管５０の長手方向（貫通方向）から見て、当該フィンカラー６０の周りに形成された座部分３０の最外周線との接線Ｔ２の位置に形成されている。但し、山側の稜線８５ｂの位置としては、座部分３０の外側に形成される傾斜面３０ａの外周線との接線Ｔ１の位置と、座部分３０の最内周線（フィンカラー６０の外周線）との接線Ｔ３の位置との間の領域に設定されていても同様の効果を奏する。
【００５９】
上記のように、フィンチューブ型熱交換器においては、２本の第２の稜線８５ｂのそれぞれの延長線が、伝熱管５０の長手方向から見て、フィンカラー６０の風上側と風下側において段方向に延びる谷部を形成する谷側の稜線４０ｂと第１の稜線８５ａとの交点Ｐを出発点として、座部分３０の外側に形成された傾斜面３０ａの外周線との接線Ｔ１と、座部分３０の内側に配置されたフィンカラー６０の外周線との接線Ｔ３との間の領域内の直線で構成することが好ましい。実施の形態５のフィンチューブ型熱交換器においては、楔状のくぼみ８５における第２の稜線８５ｂの延長線が、伝熱管５０の長手方向から見て、座部分３０の最外周線との接線Ｔ２で構成されている。
【００６０】
上記のように、フィンカラー６０の風上側と風下側の両側に形成されている楔状のくぼみ８５の底を構成する谷側の稜線８５ａ（第１の稜線）は、座部分３０の平坦面と同じ平面上にあり、谷側の稜線８５ａの延長線はフィンカラー６０の中心（即ち、伝熱管５０の中心）を通り、列方向に伸びている。
【００６１】
一方、楔状のくぼみ８５の側面を構成する山側の稜線８５ｂ（第２の稜線）は、フィンカラー６０の両側に形成された起伏部４０の谷稜線４０ｂの所定の点（交点Ｐ）から延び、その延長線が、伝熱管５０の長手方向から伝熱フィン２０を見た平面図において、例えば、座部分３０の最外周線と接する接線Ｔ２の位置にある。したがって、楔状のくぼみ８５は、列方向に延びる谷側の稜線（第１の稜線）８５ａにより逆三角形の底が形成され、谷側の稜線８５ａの両側に形成された山側の稜線（第２の稜線）８５ｂにより逆三角形のＶ字状となる斜面８５ｃが形成されている。即ち、楔状のくぼみ８５は、フィンカラー６０の突出方向に開口が広がる楔状（逆三角形状）となるよう形成されている。
【００６２】
上記のように、フィンカラー６０の風上側と風下側の両側に楔状のくぼみ８５を形成することにより、風上側の楔状のくぼみ８５が熱交換用気流を当該空気との温度差が大きい伝熱管５０へ確実に誘導して、その気流が伝熱管５０の周りの座部分３０に流れて、座部分３０の外側に形成された傾斜面３０ａに案内されて、伝熱管５０の後流にまわり込んでいく。さらに、風下側に形成された楔状のくぼみ８５は、風上側から当該伝熱管５０をまわり込んできた気流を誘導して、排出し、次に続く起伏部４０へ流す構成である。
【００６３】
上記のように、フィンカラー６０に密着接合された各伝熱管５０に対して、気流を効率高く流して、伝熱管５０の後流における死水域を低減し、伝熱に寄与する面積を増やしている。この結果、実施の形態５のフィンチューブ型熱交換器においては、伝熱管５０と気流との間の熱交換量を増大させることができ、伝熱性能を向上させている。
【００６４】
さらに、フィンカラー６０の風上側と風下側の両側に形成された楔状のくぼみ８５は、風上側と風下側における気流を円滑に流し、通風抵抗を下げることができるという優れた通風特性を有している。
【００６５】
上記のように、本発明のフィンチューブ型熱交換器は、伝熱フィンにおいて、段方向に延びて隣接する山部の間に、段方向に延びる山部より高さが低い、より好ましくは、段方向に延びる山部の高さの約１／４から約３／４の高さを有する列方向に延びる稜線を持つ中間山部が形成されている。このように本発明のフィンチューブ型熱交換器は、熱伝達率が高い稜線を増やした構成を有するとともに、伝熱フィン間の気流の流れを円滑して、伝熱性能を高め、通風抵抗を低減することができるという優れた伝熱特性を有する構成となる。
【産業上の利用可能性】
【００６６】
本発明のフィンチューブ型熱交換器においては、気流と伝熱管との間の伝熱に寄与する面積を増やして、熱交換量を増大させ、優れた伝熱特性を有するため、空気調和機、ヒートポンプ式給湯機、冷蔵庫、冷凍庫等に用いられる熱交換器において有用である。
【符号の説明】
【００６７】
１  フィンチューブ型熱交換器
１０  熱交換ブロック
２０  伝熱フィン
２０ａ  貫通孔
３０  座部分
３０ａ  傾斜面
４０  起伏部
４０ａ  山稜線
４０ｂ  谷稜線
５０  伝熱管
６０  フィンカラー
８０  中間山部
８０ａ  山側の稜線
８０ｂ  谷側の稜線
８５  楔状のくぼみ
【図１】
0005958917.tif 000002
【図２】
0005958917.tif 000003
【図３】
0005958917.tif 000004
【図４】
0005958917.tif 000005
【図５】
0005958917.tif 000006
【図６】
0005958917.tif 000007
【図７】
0005958917.tif 000008
【図８】
0005958917.tif 000009
【図９】
0005958917.tif 000010
【図１０】
0005958917.tif 000011
【図１１】
0005958917.tif 000012